【事件の表示】
　特願２００８−３２４５６０「煙感知器」拒絶査定不服審判事件〔平成２２年　７月　１日出願公開、特開２０１０−１４６４０３〕について、次のとおり審決する。
【結　論】
　本件審判の請求は、成り立たない。
【理　由】
第１．手続の経緯 
　本願は、平成２０年１２月１９日の出願であって、平成２５年５月２０日付け（平成２５年５月２８日：発送日）で拒絶査定がなされ、これに対し、平成２５年８月２８日に拒絶査定不服審判の請求がなされるとともに、その請求と同時に明細書及び特許請求の範囲を補正する手続補正がなされたものである。その後、平成２６年５月２１日付けで当審により拒絶理由（以下、「当審拒絶理由」という。）が通知され、平成２６年７月２８日に意見書が提出されたものである。 
   
第２．本願発明 
　本願の請求項１及び２に係る発明は、平成２５年８月２８日付けの手続補正により補正された明細書及び特許請求の範囲並びに願書に最初に添付した図面の記載からみて、特許請求の範囲の請求項１及び２に記載された事項により特定されるものであると認められるところ、その請求項１に係る発明（以下、「本願発明」という。）は次のとおりである。 
   
「【請求項１】 
　検知空間に向けて間欠的にパルス状の光を出力する発光部と、発光部からの直接光は入射せず検知空間内に流入した煙により拡散反射された発光部からの光が入射する位置に配置され、光を受光して電流に変換する受光部と、受光部から入力端子に入力される入力電流を当該入力電流の変動に応じて電圧値が変動する出力電圧に変換して出力端子から出力する電流電圧変換回路と、前記出力電圧に基づいて検知空間内の煙の有無を判定する判定処理部とを備え、電流電圧変換回路は、入力端子に接続されることで前記入力電流を流す電流経路を形成する誘導性のインピーダンス素子を具備し、当該インピーダンス素子の両端電圧に相当する電圧を前記出力電圧として出力し、  
　前記検知空間は、発光部および受光部を収納したハウジングの外側において外乱光の入射する空間に設定されていることを特徴とする煙感知器。 」 
        
第３．刊行物の記載事項 
（１）当審拒絶理由に引用され、本願の出願前に頒布された特開２００８−１９９３０４号公報（以下、「刊行物１」という。）には、「電流電圧変換回路およびそれを備えた煙感知器」に関して、図面（特に【図１４】ないし【図１７】参照。）と共に次の事項が記載されている。 
ア．「【０００１】 
　本発明は、電流を電圧に変換して出力する電流電圧変換回路およびそれを備えた煙感知器に関するものである。 
【背景技術】 
【０００２】 
　従来から、電流量の変化を電圧値の変化として検知するために、電流を電圧に変換して出力する電流電圧変換回路が用いられている。電流電圧変換回路１は、たとえば図１４に示すように演算増幅器ＯＰ１の反転入力端子と出力端子との間に変換抵抗Ｒ２を接続してなる変換部３を有し、この反転入力端子に入力電流Ｉｉｎが入力されると、入力電流Ｉｉｎの変動に応じて電圧値が変動する出力電圧Ｖｏｕｔを出力端子Ｔｏｕｔに出力する。図１４の例では、非反転入力端子に基準電圧Ｖｓが印加されているので、変換抵抗Ｒ２の抵抗値をｒ２とすれば出力電圧Ｖｏｕｔは、Ｖｏｕｔ＝Ｖｓ−（Ｉｉｎ×ｒ２）で表される。 
【０００３】 
　ところで、この種の電流電圧変換回路１は、たとえば火災時に発生する煙を感知し発報する煙感知器２などに用いられている。電流電圧変換回路１を具備した煙感知器２としては、たとえば図１５（ａ）に示すようにハウジング２０内に検知空間を有し、この検知空間に向けて間欠的に光を出力するＬＥＤ６（発光装置）と、ＬＥＤ６からの直接光が入射しない位置に配置され受光した光を電流に変換するフォトダイオードＰＤ（光電変換素子）とを備えたものがある（たとえば特許文献１参照）。この煙感知器２では、検知空間内に煙が流入すると、ＬＥＤ６からの光が検知空間内の煙で拡散反射されることによりフォトダイオードＰＤでのＬＥＤ６からの光の受光量が増加し、フォトダイオードＰＤから出力される電流量が増加する。 
【０００４】 
　ＬＥＤ６およびフォトダイオードＰＤは、ＬＥＤ６の前方に配置された投光レンズ２３およびフォトダイオードＰＤの前方に配置された受光レンズ２４と共に光学ブロック２５を構成する。ハウジング２０は、下面に開口部が形成され当該開口部に向けてＬＥＤ６からの光が出射されるように光学ブロック２５を収納したボディ２６と、上面開口の有底円筒状であってボディ２６の開口部を覆うようにボディ２６に結合されるカバー２７とを備えている。カバー２７の周壁には煙を取り込むための開口窓が形成されており、カバー２７内に前記検知空間が形成される。ここでカバー２７内には、検知空間への虫の侵入を防止する防虫網２８、および検知空間への外乱光の入射を防止するラビリンス１９が検知空間を包囲するように配置される。ラビリンス１９は、蛍光灯や白熱灯などからの様々な外乱光の入射を防止するために入り組んだ光路を持つ複雑な構造を採用している。 
【０００５】 
　この種の煙感知器２においては、検知空間に煙が流入するとフォトダイオードＰＤから出力される電流量が増加するので、図１５（ｂ）に示すように、ハウジング２０内に収納された回路ブロック２９にフォトダイオードＰＤからの入力電流を電圧に変換して出力する電流電圧変換回路１（ＩＶ変換回路）を有し、前記出力電圧を増幅回路１２とフィルタ回路１３とを通して発報判定回路１４に入力し、前記出力電圧の変化量が所定の火災判定レベルを超えると発報回路１５（ブザー等）で発報するように構成されている。要するに電流電圧変換回路１は、フォトダイオードＰＤがＬＥＤ６からの光を受光していない定常状態での出力電圧Ｖｏｕｔを動作点として、入力電流Ｉｉｎの変動に応じて動作点を基準に出力電圧Ｖｏｕｔを変動させることとなる。なお、回路ブロック２９には、ＬＥＤ６を周期的にパルス発光させるＬＥＤ駆動回路３０と各回路に電源供給する電源回路１６と、他の発報手段等を連動させる連動回路１７とが設けられている。」 
   
イ．「【０００７】 
　また、近年では、設置が簡単であることから、電池を電源とした煙感知器２の需要が増えている。電池を煙感知器２の電源とする場合には、煙感知器２の平均消費電力を抑えて電池の長寿命化を図るため、煙感知器２を間欠駆動させる必要がある。この場合には、図１６（ａ）に示す電流電圧変換回路１への電源供給も間欠的に行われることとなる。そのため、ＬＥＤ６は図１６（ｂ）のように電流電圧変換回路１への電源供給が行われている間にパルス状の光を出力する。ここで、検知空間に煙が流入してフォトダイオードＰＤがＬＥＤ６からの光を受光すると、図１６（ｃ）に実線で示すように電流電圧変換回路１の出力電圧Ｖｏｕｔの変化量ΔＶは大きくなり図中の火災判定レベルに達することとなる。一方、検知空間に煙がなければ、図１６（ｃ）に破線で示すように出力電圧の変化量ΔＶは小さくなり、火災判定レベルに達することはない。 
【０００８】 
　ところで、図１４のような電流電圧変換回路１では、図１７（ａ）に示すように演算増幅器ＯＰ１のダイナミックレンジが、演算増幅器ＯＰ１の電源電圧ＶＤＤとグランドＧＮＤとの間に規定されており、上述した出力電圧Ｖｏｕｔはこのダイナミックレンジの範囲内で変動する。そのため、入力電流Ｉｉｎがある大きさ以上になると出力電圧Ｖｏｕｔが飽和してしまう。 
【０００９】 
　たとえば上述した煙感知器２においては、ラビリンス１９を設けてあるものの、検知空間を外部から完全には遮断することはできないので、フォトダイオードＰＤに対して僅かながら外乱光が入射することがある。通常、外乱光は時間的変動が小さく、フォトダイオードＰＤがこの外乱光を受光することによりフォトダイオードＰＤからは時間的変動の小さい電流（以下、「直流成分」という）が出力されることになる。そして、入力電流Ｉｉｎに含まれる直流成分がある大きさ以上になると、出力電圧Ｖｏｕｔが飽和する可能性がある。特に、上述のように電池を煙感知器２の電源とする場合には、演算増幅器ＯＰ１の電源電圧が低く演算増幅器ＯＰ１のダイナミックレンジが比較的狭いため、出力電圧Ｖｏｕｔが飽和しやすい。 
【００１０】 
　すなわち、入力電流Ｉｉｎに直流成分が含まれていなければ、図１７（ａ）のように出力電圧Ｖｏｕｔの動作点は基準電圧Ｖｓとなるから、入力電流Ｉｉｎの変動があれば出力電圧Ｖｏｕｔもこの変動に追従して変動するが、これに対して、入力電流Ｉｉｎに直流成分が含まれていると、図１７（ｂ）に示すように出力電圧Ｖｏｕｔの動作点が低下し、入力電流Ｉｉｎが増加した場合に出力電圧Ｖｏｕｔが途中で飽和してしまう可能性がある。特に、直流成分が大きく、図１７（ｃ）のように出力電圧Ｖｏｕｔの動作点がグランドＧＮＤ付近にまで低下している場合には、入力電流Ｉｉｎの変動によらず出力電圧Ｖｏｕｔが飽和状態にあり、入力電流Ｉｉｎの増加を出力電圧Ｖｏｕｔが追従することはない。 
【００１１】 
　たとえば変換抵抗Ｒ２の抵抗値ｒ２を１ＭΩ、基準電圧Ｖｓを１Ｖとすると、入力電流Ｉｉｎが１μＡで変換抵抗Ｒ２の両端間の電圧降下は１Ｖとなり、その結果、電流電圧変換回路１の出力電圧Ｖｏｕｔが０Ｖとなって飽和する。この状態では、フォトトランジスタＰＤがＬＥＤ６からの光を受光して電流電圧変換回路１にパルス状の入力電流Ｉｉｎが入力されても、電流電圧変換回路１の出力電圧Ｖｏｕｔは飽和しているからこれ以上変動することはなく、出力電圧Ｖｏｕｔの変化量ΔＶが火災判定レベルに達することなく失報となる可能性がある。 
【００１２】 
　そこで、電流電圧変換回路１として、入力電流Ｉｉｎに直流成分が含まれている場合に、出力端子Ｔｏｕｔと入力端子Ｔｉｎとの間にフィードバックをかけて前記直流成分による出力電圧Ｖｏｕｔの飽和を抑制できるようにしたものが提案されている（たとえば特許文献２参照）。」 
   
ウ．「【００１７】 
　すなわち、上述した煙感知器２においては、検知空間への外乱光の入射を防止するラビリンス１９の構造が複雑であり、ラビリンス１９の製造にかかるコストが煙感知器２全体の低コスト化の妨げとなっているので、ラビリンス１９の構造を極力簡素化、あるいはラビリンス１９自体を省略することで、煙感知器２の低コスト化を図ることが要望されている。しかし、ラビリンス１９を簡素化あるいは省略すると、フォトダイオードＰＤで受光される外乱光が強くなり、入力電流Ｉｉｎに含まれる直流成分が出力電圧Ｖｏｕｔへの影響を抑制可能な直流成分の大きさの上限を超え、結果的に、出力電圧Ｖｏｕｔが飽和してしまうことがある。」 
   
エ．上記ア．の「図１５（ａ）に示すようにハウジング２０内に検知空間を有し、この検知空間に向けて間欠的に光を出力するＬＥＤ６（発光装置）」（段落【０００３】）との記載及び上記イ．の「ＬＥＤ６は図１６（ｂ）のように電流電圧変換回路１への電源供給が行われている間にパルス状の光を出力する。」（段落【０００７】）との記載からみて、ＬＥＤ６は、検知空間に向けて間欠的にパルス状の光を出力することが分かる。  
      
オ．上記ア．の「ＬＥＤ６からの直接光が入射しない位置に配置され受光した光を電流に変換するフォトダイオードＰＤ（光電変換素子）とを備えたものがある（たとえば特許文献１参照）。この煙感知器２では、検知空間内に煙が流入すると、ＬＥＤ６からの光が検知空間内の煙で拡散反射されることによりフォトダイオードＰＤでのＬＥＤ６からの光の受光量が増加し、フォトダイオードＰＤから出力される電流量が増加する」（段落【０００３】）との記載からみて、フォトダイオードＰＤは、ＬＥＤ６からの直接光は入射せず検知空間内に流入した煙により拡散反射されたＬＥＤ６からの光が入射する位置に配置されることが分かる。　　　　　 
   
カ．上記ア．の「電流量の変化を電圧値の変化として検知するために、電流を電圧に変換して出力する電流電圧変換回路が用いられている。電流電圧変換回路１は、たとえば図１４に示すように演算増幅器ＯＰ１の反転入力端子と出力端子との間に変換抵抗Ｒ２を接続してなる変換部３を有し、この反転入力端子に入力電流Ｉｉｎが入力されると、入力電流Ｉｉｎの変動に応じて電圧値が変動する出力電圧Ｖｏｕｔを出力端子Ｔｏｕｔに出力する。」（段落【０００２】）及び上記ア．の「この種の煙感知器２においては、検知空間に煙が流入するとフォトダイオードＰＤから出力される電流量が増加するので、図１５（ｂ）に示すように、ハウジング２０内に収納された回路ブロック２９にフォトダイオードＰＤからの入力電流を電圧に変換して出力する電流電圧変換回路１（ＩＶ変換回路）を有し、前記出力電圧を増幅回路１２とフィルタ回路１３とを通して発報判定回路１４に入力し、前記出力電圧の変化量が所定の火災判定レベルを超えると発報回路１５（ブザー等）で発報する」（段落【０００５】）との記載からみて、煙感知器２は、フォトダイオードＰＤから入力端子Ｔｉｎに入力される入力電流Ｉｉｎを当該入力電流Ｉｉｎの変動に応じて電圧値が変動する出力電圧Ｖｏｕｔに変換して出力端子Ｔｏｕｔから出力する電流電圧変換回路１と、増幅回路１２と、フィルター回路１３と、出力電圧に基づいて検知空間内の煙の有無を判定する発報判定回路１４とを有することが分かる。 
   
キ．上記ア．の「ＬＥＤ６およびフォトダイオードＰＤは、ＬＥＤ６の前方に配置された投光レンズ２３およびフォトダイオードＰＤの前方に配置された受光レンズ２４と共に光学ブロック２５を構成する。ハウジング２０は、下面に開口部が形成され当該開口部に向けてＬＥＤ６からの光が出射されるように光学ブロック２５を収納したボディ２６と、上面開口の有底円筒状であってボディ２６の開口部を覆うようにボディ２６に結合されるカバー２７とを備えている。カバー２７の周壁には煙を取り込むための開口窓が形成されており、カバー２７内に前記検知空間が形成される。」（段落【０００４】）との記載からみて、検知空間は、ＬＥＤ６およびフォトダイオードＰＤを収納したハウジング２０の内側に設定されていることが分かる。 
   
　上記記載事項及び認定事項を総合し、本願発明の記載ぶりに則って整理すると、刊行物１には、次の発明（以下、「引用発明」という。）が記載されている。 
   
「検知空間に向けて間欠的にパルス状の光を出力するＬＥＤ６と、ＬＥＤ６からの直接光は入射せず検知空間内に流入した煙により拡散反射されたＬＥＤ６からの光が入射する位置に配置され、光を受光して電流に変換するフォトダイオードＰＤと、フォトダイオードＰＤから入力端子Ｔｉｎに入力される入力電流Ｉｉｎを当該入力電流Ｉｉｎの変動に応じて電圧値が変動する出力電圧Ｖｏｕｔに変換して出力端子Ｔｏｕｔから出力する電流電圧変換回路１と、増幅回路１２と、フィルター回路１３と、フィルター回路１３からの出力電圧に基づいて検知空間内の煙の有無を判定する発報判定回路１４とを備え、  
　前記検知空間は、ＬＥＤ６およびフォトダイオードＰＤを収納したハウジング２０の内側に設定されている煙感知器２。」 
   
（２）また、上記刊行物１（特開２００８−１９９３０４号公報）には、「電流電圧変換回路およびそれを備えた煙感知器」に関して、さらに、図面（特に【図１１】参照。）と共に次の事項が記載されている。 
ク．「【００５６】 
　本実施形態の電流電圧変換回路１を用いた煙感知器２は、フォトダイオードＰＤに対して強い外乱光が入射することにより大きな直流成分を含んだ入力電流Ｉｉｎが変換部３の入力端子Ｔｉｎに入力された場合でも、変換部３の出力端子Ｔｏｕｔに生じる出力電圧Ｖｏｕｔへの前記直流成分の影響を抑制することができる。したがって、ラビリンス１９を省略し、図１１に示すように煙感知器２の薄型化等を図ることが可能となる。図１１の煙感知器２は、ハウジング２０の前方（ハウジング２０を天井に取り付けた場合の下方）を検知空間として、フォトダイオードＰＤがこの検知空間に流入する煙で拡散反射したＬＥＤ６からの光を受光することで煙を感知する。」 
   
　上記記載事項を、本願発明の記載ぶりを考慮して整理すると、刊行物１には、次の技術事項（以下、「刊行物１に記載された技術事項」という。）が記載されている。 
   
「入力電流Ｉｉｎにおける直流成分となる外乱光の影響を抑制した場合に、検知空間を、ＬＥＤ６およびフォトダイオードＰＤを収納したハウジング２０の下方において外乱光の入射する空間に設定すること。」 
   
（３）また、当審拒絶理由に引用され、本願の出願前に頒布された特開平６−２５２７３１号公報（以下、「刊行物２」という。）には、「受光回路」に関して、図面（特に【図２】参照。）と共に次の事項が記載されている。
ケ．「【特許請求の範囲】 
【請求項１】自然の雰囲気中を送られる変調された信号光を受信する受光回路において、 
　受光素子と増幅器と帰還インダクタンスとを組み合わせて成り、 
　前記受光素子は、信号光を受けて電気信号へ変換するものであって、受光面が信号光を受けるよう配設され、 
　前記増幅器は、前記受光素子より出力される電気信号を増幅するものであって、該受光素子の出力が接続され、 
　前記帰還インダクタンスは、電気信号のうち直流成分を除去して前記増幅器が交流成分のみを増幅するよう前記増幅器の帰還回路に挿入され、 
　太陽光などの直流成分と信号光の交流成分に外乱として直流成分の太陽光などが入力した場合に該直流成分を除去して信号光の交流成分のみを増幅するようにしたことを特徴とする受光回路。」 
   
コ．「【０００８】本発明は、このような従来の問題点を解決するために成されたものであり、単純な構成で、真夏の太陽光の下でも、太陽光がもたらす外乱信号を除去し、増幅器の飽和を防ぎ、最大効率で信号光を抽出する受光回路を提供することを目的としている。 
   
サ．「【００１１】 
【実施例】以下、図面に基づき本発明の一実施例を説明する。なお、従来例と同様の部位には同一符号を付し、重複した説明を省略する。図１（当審注：「図２」の誤記。以下、同様。）は本発明の一実施例を示しており、回路の構成を示している。図１（「図２」の誤記。）に示すように回路はフォトダイオ−ドである受光素子１、増幅器２、負帰還インダクタンス４（「３」の誤記。）から構成されている。 
【００１２】受光素子１は受光した信号光を電気信号に変換するもので、受光面が信号光を受けるよう配設されている。増幅器２の（＋）端子と（−）端子との間に受光素子１が介装されている。増幅器２は受光素子１の電気信号を増幅するもので、負帰還インダクタンス４（「３」の誤記。）が、増幅器２の出力端子と入力の（−）端子との間に接続され、負帰還増幅器が構成されている。受光素子１のフォロダイオードのカソ−ドは増幅器２の（−）端子に、アノ−ドは増幅器２の（＋）端子に接続されている。負帰還インダクタンス４（「３」の誤記。）により、増幅器２の（−）端子は（＋）端子と等しい電位まで増幅されるよう設定されている。つまり。これらの端子間の電位差は常に０［Ｖ］になるよう設定されている。 
【００１３】次に作用を説明する。図外の送信側からの変調された光信号が自然の雰囲気中を送られて受光素子１に達すると、受光素子１は当該信号光に対応したリニアな光電流に変換して出力する。この光電流は増幅器２の（−）端子と（＋）端子との間に印加される。受光素子１から見た増幅器２の入力抵抗は０［Ω］であり、受光素子１の光／電流変換は最大効率となる。
【００１４】増幅器２の入力抵抗が０［Ω］であるので、増幅器２の入力回路に流れる電流ＩＳＣと同一の電流が負帰還インダクタンス４（「３」の誤記。）にも流れ、この時の電圧降下分が出力電圧となる。負帰還インダクタンス４（「３」の誤記。）の誘導リアクタンスは２πｆＬである。したがって、出力電圧Ｖは２πｆＬ・ＩＳＣとなる。ここで、ｆは電流信号の周波数を、Ｌはインダクタンスを表す。 
【００１５】このように出力電圧Ｖは、信号光の周波数に比例することから、太陽光の場合はｆ＝０（直流）で出力電圧は０［Ｖ］となり信号光（交流）のみが出力として現れる。」 
   
シ．「【００１７】 
【発明の効果】本発明にかかる受光回路によれば、真夏の太陽光の下でも、この太陽光による外乱を除き、信号光を最大効率で電気信号に変換することができ、真夏の太陽光を受ける可能性のある屋外においても光学式通信方式をそのまま使用することが可能となった。また、複雑な変調回路やフィルター回路を設けることなく、受光素子を増幅器に直結した簡単な構成としたので、コストダウンと小型軽量化を図ることができる。」 
   
ス．「【符号の説明】 
　１…受光素子であるフォトダイオ−ド 
　２…増幅器 
　３…帰還インダクタンス 
　４…帰還抵抗 
　ＩＳＣ…入力電流」 
   
セ．上記コ．の「増幅器２は受光素子１の電気信号を増幅するもので、負帰還インダクタンス４（「３」の誤記。）が、増幅器２の出力端子と入力の（−）端子との間に接続され、負帰還増幅器が構成されている。」（段落【００１１】）との記載及び上記ス．の「３…帰還インダクタンス」との記載並びに図２からみて、受光回路は、フォトダイオード１と増幅器２の（−）端子との間の配線に接続されることで入力電流Ｉｓｃを流す電流経路を形成する帰還インダクタンス３を具備し、当該帰還インダクタンス３の両端電圧に相当する電圧を出力電圧として出力することが分かる。 
   
　上記記載事項及び認定事項を総合し、本願発明の記載ぶりに則って整理すると、刊行物２には、次の発明（以下、「刊行物２に記載された発明」という。）が記載されている。 
   
「フォトダイオード１と増幅器２の（−）端子との間の配線に接続されることで入力電流Ｉｓｃを流す電流経路を形成する帰還インダクタンス３を具備し、当該帰還インダクタンス３の両端電圧に相当する電圧を出力電圧Ｖとして出力する受光回路。」  
   
第４．対比  
　本願発明と引用発明とを対比すると、その技術的意義、機能または構造からみて、引用発明における「ＬＥＤ６」は本願発明における「発光部」に相当し、以下同様に、「フォトダイオードＰＤ」は「受光部」に、「入力端子Ｔｉｎ」は「入力端子」に、「入力電流Ｉｉｎ」は「入力電流」に、「出力電圧Ｖｏｕｔ」は「出力電圧」に、「出力端子Ｔｏｕｔ」は「出力端子」に、「電流電圧変換回路１」は「電流電圧変換回路」に、「発報判定回路１４」は「判定処理部」に、「ハウジング２０」は「ハウジング」に、「煙感知器２」は「煙感知器」に、それぞれ相当する。  
     
　そこで、両者は、本願発明の用語を用いて表現すると、次の点で一致する。  
［一致点］  
「検知空間に向けて間欠的にパルス状の光を出力する発光部と、発光部からの直接光は入射せず検知空間内に流入した煙により拡散反射された発光部からの光が入射する位置に配置され、光を受光して電流に変換する受光部と、受光部から入力端子に入力される入力電流を当該入力電流の変動に応じて電圧値が変動する出力電圧に変換して出力端子から出力する電流電圧変換回路と、検知空間内の煙の有無を判定する判定処理部とを備えた煙感知器。」  
   
　そして、両者は次の点で相違する。  
［相違点］  
　本願発明においては、電流電圧変換回路が、入力端子に接続されることで入力電流を流す電流経路を形成する誘導性のインピーダンス素子を具備し、当該インピーダンス素子の両端電圧に相当する電圧を前記出力電圧として出力し、判定処理部が、前記出力電圧に基づいて検知空間内の煙の有無を判定し、また、検知空間は、発光部および受光部を収納したハウジングの外側において外乱光の入射する空間に設定されているのに対して、引用発明においては、電流電圧変換回路１が、入力端子に接続されることで入力電流を流す電流経路を形成する誘導性のインピーダンス素子を具備するものではなく、電流電圧変換回路回路１からの出力電圧を、増幅回路１２と、フィルター回路１３を介して出力し、発報判定回路１４がフィルター回路１３からの出力電圧に基づいて検知空間内の煙の有無を判定し、また、検知空間は、発光部および受光部を収納したハウジングの内側において設定されている点（以下「相違点」という。）。 　 
   
第５．当審の判断  
　上記相違点について検討する。  
１．引用発明は、上記第３．（１）ア．の「電流電圧変換回路１は、たとえば図１４に示すように演算増幅器ＯＰ１の反転入力端子と出力端子との間に変換抵抗Ｒ２を接続してなる変換部３を有し」との記載及び図１４によれば、フォトダイオードＰＤを演算増幅器ＯＰ１の反転入力端子に直結し、フォトダイオードＰＤと演算増幅器ＯＰ１の間から分岐する配線が演算増幅器ＯＰ１の出力端子に連結することを前提とするものである。 
　一方、刊行物２に記載された発明は、上記第３．（３）シ．の「受光素子を増幅器に直結した簡単な構成とした」との記載及び図２によれば、フォトダイオード２を増幅器２の反転入力端子に直結し、フォトダイオード２と増幅器２との間から分岐する配線が増幅器２の出力端子に連結することを前提とするものである。。 
　したがって、引用発明と刊行物２に記載された発明とは、フォトダイオードと増幅器の間から分岐する配線が増幅器の出力端子に連結するという回路構造を前提とする点で共通する。 
　また、引用発明には、前記第３．（１）イ．の「フォトダイオードＰＤに対して僅かながら外乱光が入射することがある。通常、外乱光は時間的変動が小さく、フォトダイオードＰＤがこの外乱光を受光することによりフォトダイオードＰＤからは時間的変動の小さい電流（以下、「直流成分」という）が出力されることになる。そして、入力電流Ｉｉｎに含まれる直流成分がある大きさ以上になると、出力電圧Ｖｏｕｔが飽和する可能性がある。」（【０００９】）との記載及び図１４によれば、演算増幅器ＯＰ１において、入力電流における直流成分となる外乱光の影響を抑制し、出力電圧の飽和を回避するという課題が内在していることは明らかである。 
　一方、刊行物２に記載された発明についてみると、本願発明と刊行物２に記載された発明とを対比すると、その技術的意義、機能または構造からみて、刊行物２に記載された発明における「フォトダイオード１と増幅器２の（−）端子との間の配線に接続されること」は本願の図１を踏まえると本願発明における「入力端子に接続されること」に相当し、以下同様に、「入力電流Ｉｓｃ」は「入力電流」に、「帰還インダクタンス３」は「誘導性のインピーダンス素子」に、「出力電圧Ｖ」は「出力電圧」に、「受光回路」は「電流電圧変換回路」に、それぞれ相当するから、刊行物２に記載された発明は、本願発明の用語を用いて表現すると、「入力端子に接続されることで入力電流を流す電流経路を形成する誘導性のインピーダンス素子を具備し、当該誘導性のインピーダンス素子の両端電圧に相当する電圧を出力電圧として出力する電流電圧変換回路。」ということができる。 
　また、刊行物２に記載された発明の課題は、前記第３．（３）ケ．の「前記帰還インダクタンスは、電気信号のうち直流成分を除去して前記増幅器が交流成分のみを増幅するよう前記増幅器の帰還回路に挿入され、太陽光などの直流成分と信号光の交流成分に外乱として直流成分の太陽光などが入力した場合に該直流成分を除去して信号光の交流成分のみを増幅する」との記載及び前記第３．（３）コ．の「真夏の太陽光の下でも、太陽光がもたらす外乱信号を除去し、増幅器の飽和を防ぎ、最大効率で信号光を抽出する」との記載によれば、増幅器において、入力信号（電流）における直流成分となる外乱光の影響を除去し、出力電圧の飽和を回避することである。  
　そうすると、引用発明が内在する課題及び刊行物２に記載された発明の課題は、入力電流における直流成分となる外乱光の影響を抑制し、出力電圧の飽和を回避するということで共通する。 
　したがって、引用発明及び刊行物２に記載された発明が、光を用いた信号を電圧に変換する回路を有するという点で共通の技術分野に属するものであって、また、共通の回路構造を前提とするものであって、さらに、入力電流における直流成分となる外乱光の影響を抑制するという共通の課題を有するものであるから、引用発明に刊行物２に記載された発明を適用する動機付けがあり、引用発明に刊行物２に記載された発明を適用することは当業者が容易に想到し得たことである。 
   
２．また、刊行物２に記載された発明における「受光回路」は、上記第３．（３）シ．の「フィルター回路を設けることなく、受光素子を増幅器に直結した簡単な構成とした」との記載によれば、刊行物２に記載された発明における「受光回路」は、「フィルター回路」を兼用していると解せる。 
　そうすると、引用発明に刊行物２に記載された発明を適用したものにおいて、電流電圧変換回路回路１からの出力電圧Ｖｏｕｔを発報判定回路１４に入力して煙の有無を判定するようにすることは当業者が容易になし得た設計変更である。 
   
３．また、本願発明と刊行物１に記載された技術事項とを対比すると、その技術的意義、機能または構造からみて、刊行物１に記載された技術事項における「ＬＥＤ６」は本願発明における「発光部」に相当し、以下同様に、「フォトダイオードＰＤ」は「受光部」に、「ハウジング２０」は「ハウジング」に、「下方」は「外側」に、「煙感知器２」は「煙感知器」に、それぞれ相当するから、刊行物１に記載された技術事項は、本願発明の用語を用いて表現すると、「入力電流における直流成分となる外乱光の影響を抑制した場合に、検知空間を、発光部および受光部を収納したハウジングの外側において外乱光の入射する空間に設定すること。」ということができる。 
　そうすると、引用発明に刊行物２に記載された発明を適用したものは、前述のように入力電流における直流成分となる外乱光の影響を除去できるものであるから、刊行物１に記載された技術事項に基づいて、検知空間を、発光部および受光部を収納したハウジングの外側において外乱光の入射する空間に設定することは当業者が容易になし得た設計変更である。 
   
４．以上のことを総合すれば、引用発明に引用文献２に記載された発明及び刊行物１に記載された技術事項を適用することにより、相違点に係る本願発明の発明特定事項とすることは、当業者であれば容易になし得たことである。  
   
５．また、本願発明を全体としてみても、本願発明の効果は、引用発明、刊行物２に記載された発明及び刊行物１に記載された技術事項から当業者が予測し得る範囲内のものであって格別なものとはいえない。  
   
６．したがって、本願発明は、引用発明、刊行物２に記載された発明及び刊行物１に記載された技術事項に基いて、当業者が容易に発明をすることができたものである。 
   
第６．むすび  
　以上のとおり、本願発明は、引用発明、刊行物２に記載された発明及び刊行物１に記載された技術事項に基いて当業者が容易に発明をすることができたものであるから、特許法第２９条第２項の規定により特許を受けることができない。  
　したがって、本願の他の請求項に係る発明について検討するまでもなく、本願は拒絶すべきものである。 
　よって、結論のとおり審決する。